(57)【要約】【課題】ボイラにおいて、火炉全体での燃焼効率の向上を図る。【解決手段】中空形状をなして鉛直方向に沿って設置される火炉１１と、微粉燃料混合気を火炉１１内に向けて吹き込むことで火炎旋回流を形成可能な燃焼バーナ２１，２２，２３，２４，２５と、燃焼バーナ２１，２２，２３，２４，２５より上方で追加燃焼用空気を火炉１１内に向けて吹き込む追加燃焼用空気ノズル４２，４３と、追加燃焼用空気ノズル４２，４３より上方で追加空気を火炉１１内に向けて吹き込む追加空気ノズル５２と、追加空気ノズル５２における追加空気の噴射方向を上下に調整自在な駆動装置５５と、火炉１１の上部における温度分布を検出する温度センサ６１と、温度センサ６１の検出結果に基づいて駆動装置５５を調整可能な制御装置６２とを設ける。【選択図】図１
2015114077.tif 000002
【特許請求の範囲】
【請求項１】
中空形状をなして鉛直方向に沿って設置される火炉と、
固体燃料と燃焼用空気を混合した燃料ガスを前記火炉内に向けて吹き込むことで火炎旋回流を形成可能な燃焼バーナと、
前記燃焼バーナより上方で追加空気を前記火炉内に向けて吹き込む追加空気ノズルと、
前記追加空気ノズルにおける追加空気の噴射方向を上下に調整自在な空気噴射方向上下調整装置と、
前記火炉の上部における温度分布を検出する温度センサと、
前記温度センサの検出結果に基づいて前記空気噴射方向上下調整装置を調整可能な制御装置と、
を有することを特徴とするボイラ。
【請求項２】
前記制御装置は、火炉の上部における複数の水平方向の位置での温度偏差が減少するように前記空気噴射方向上下調整装置を調整することを特徴とする請求項１に記載のボイラ。
【請求項３】
前記火炉は、矩形断面形状をなし、前記追加空気ノズルは、前記火炉における角部に配置され、前記制御装置は、前記空気噴射方向上下調整装置により火炎旋回流の下流側に位置する前記追加空気ノズルを下向きとし、火炎旋回流の上流側に位置する前記追加空気ノズルを上向きとすることを特徴とする請求項１または請求項２に記載のボイラ。
【請求項４】
前記追加空気ノズルにおける追加空気の噴射方向を左右に調整自在な空気噴射方向左右調整装置が設けられ、前記制御装置は、前記温度センサの検出結果に基づいて前記空気噴射方向左右調整装置を調整可能であることを特徴とする請求項１から請求項３のいずれか一項に記載のボイラ。
【請求項５】
前記追加空気ノズルは、矩形状をなす噴射口を有し、鉛直方向の長さより水平方向の長さが大きく設定されることを特徴とする請求項１から請求項４のいずれか一項に記載のボイラ。
【請求項６】
前記噴射口は、側面部が内側に突出するように湾曲する絞り形状をなすことを特徴とする請求項５に記載のボイラ。
【請求項７】
前記追加空気ノズルが噴射する追加空気の流速を上昇させる送風機が設けられることを特徴とする請求項１から請求項６のいずれか一項に記載のボイラ。
【請求項８】
前記追加空気ノズルは、前記火炉から排出された排ガスの少なくとも一部を前記火炉に吹き込み可能であることを特徴とする請求項１から請求項７のいずれか一項に記載のボイラ。
【発明の詳細な説明】
【技術分野】
【０００１】
本発明は、固体燃料と空気を混合して燃焼させることで蒸気を生成するボイラに関するものである。
【背景技術】
【０００２】
従来の石炭焚きボイラは、中空形状をなして鉛直方向に設置される火炉を有し、この火炉壁に複数の燃焼バーナが周方向に沿って配置されると共に、上下方向に複数段にわたって配置されている。この燃焼バーナは、石炭が粉砕された微粉炭（燃料）と１次空気（搬送用空気）との混合気が供給されると共に、高温の２次空気が供給され、この混合気と２次空気を火炉内に吹き込むことで火炎を形成し、この火炉内で燃焼可能としている。そして、この火炉は、上部に煙道が連結され、この煙道に排ガスの熱を回収するための過熱器、再熱器、節炭器などが設けられており、火炉での燃焼により発生した排ガスと水との間で熱交換が行われ、蒸気を生成することができる。
【０００３】
このような石炭焚きボイラでは、一般的に、炉内脱硝技術が採用されている。即ち、火炉壁に複数の燃焼バーナを設け、この燃焼バーナの上方に追加空気ノズルを設けている。従って、燃焼バーナは、微粉炭と搬送用空気とが混合した微粉燃料混合気を火炉に吹き込むと共に燃焼用空気を火炉に吹き込み、着火することで火炎を形成する。また、追加空気ノズルは、追加空気を火炉に吹き込み、燃焼制御を行う。このとき、火炉では、２次空気の供給量が微粉炭の供給量に対して理論空気量未満となるように設定されることで、内部が還元雰囲気に保持され、微粉炭の燃焼により発生したＮＯｘが還元され、その後、追加空気が追加供給されることで微粉炭の酸化燃焼が完結され、微粉炭の燃焼によるＮＯｘの発生量が低減される。
【０００４】
このようなボイラとしては、例えば、下記特許文献に記載されたものがある。
【先行技術文献】
【特許文献】
【０００５】
【特許文献１】特許第４８５９７９７号公報
【特許文献２】特許第３０６８４３５号公報
【発明の概要】
【発明が解決しようとする課題】
【０００６】
ところで、追加空気ノズルは、追加空気により微粉炭の酸化燃焼を完結するためだけでなく、火炉全体の燃焼を調整することで、熱交換する蒸気温度の調整も行う機能を有している。ところが、追加空気ノズルによる追加空気の噴射方向や噴射位置などを変更すると、この機能が低下してしまうおそれがある。
【０００７】
本発明は、上述した課題を解決するものであり、火炉全体での燃焼効率の向上を図るボイラを提供することを目的とする。
【課題を解決するための手段】
【０００８】
上記の目的を達成するための本発明のボイラは、中空形状をなして鉛直方向に沿って設置される火炉と、固体燃料と燃焼用空気を混合した燃料ガスを前記火炉内に向けて吹き込むことで火炎旋回流を形成可能な燃焼バーナと、前記燃焼バーナより上方で追加空気を前記火炉内に向けて吹き込む追加空気ノズルと、前記追加空気ノズルにおける追加空気の噴射方向を上下に調整自在な空気噴射方向上下調整装置と、前記火炉の上部における温度分布を検出する温度センサと、前記温度センサの検出結果に基づいて前記空気噴射方向上下調整装置を調整可能な制御装置と、を有することを特徴とするものである。
【０００９】
従って、燃焼バーナが火炉内に燃料ガスを吹き込むことで火炎旋回流が形成され、発生した燃焼ガスが燃焼領域から旋回しながら上昇する。燃料ガスは、空気量が固体燃料に対して理論空気量未満となるように設定されることで、燃焼領域の上方に還元領域が形成され、ここで、固体燃料の燃焼により発生した有害物質が還元される。その後、追加空気ノズルが火炉内に向けて追加空気を吹き込むことで、固体燃料の酸化燃焼が完結される。このとき、温度センサが火炉の上部における温度分布を検出すると、制御装置は、火炉の上部における温度分布に基づいて空気噴射方向上下調整装置を調整する。そのため、火炉の上部温度を適正な分布に調整することができ、火炉全体での燃焼効率を向上することができる。
【００１０】
本発明のボイラでは、前記制御装置は、火炉の上部における複数の水平方向の位置での温度偏差が減少するように前記空気噴射方向上下調整装置を調整することを特徴としている。
【００１１】
従って、制御装置は、空気噴射方向上下調整装置により追加空気の噴射方向を上下に調整することで、火炉の上部における水平方向での温度偏差を減少するため、局部的に高温となる領域の発生を抑制し、伝熱管の損傷を防止することができる。
【００１２】
本発明のボイラでは、前記火炉は、矩形断面形状をなし、前記追加空気ノズルは、前記火炉における角部に配置され、前記制御装置は、前記空気噴射方向上下調整装置により火炎旋回流の下流側に位置する前記追加空気ノズルを下向きとし、火炎旋回流の上流側に位置する前記追加空気ノズルを上向きとすることを特徴としている。
【００１３】
従って、火炎旋回流の下流側では追加空気を下向きに噴射し、火炎旋回流の上流側では追加空気を上向きに噴射することで、高温領域を低温領域側に移行させることで、火炉の上部における水平方向での温度偏差を効果的に減少することができる。
【００１４】
本発明のボイラでは、前記追加空気ノズルにおける追加空気の噴射方向を左右に調整自在な空気噴射方向左右調整装置が設けられ、前記制御装置は、前記温度センサの検出結果に基づいて前記空気噴射方向左右調整装置を調整可能であることを特徴としている。
【００１５】
従って、追加空気の噴射方向を上下だけでなく左右にも調整することで、火炉の上部における水平方向での温度偏差を更に減少することができる。
【００１６】
本発明のボイラでは、前記追加空気ノズルは、矩形状をなす噴射口を有し、鉛直方向の長さより水平方向の長さが大きく設定されることを特徴としている。
【００１７】
従って、水平方向に扁平な追加空気流を形成することで、追加空気流の貫徹力を向上して火炉全体での燃焼状態を適正に調整することができる。
【００１８】
本発明のボイラでは、前記噴射口は、側面部が内側に突出するように湾曲する絞り形状をなすことを特徴としている。
【００１９】
従って、噴射口の側面部が内側に突出するように湾曲する絞り形状をなすことで、追加空気流の流速を滑らかに上昇することで、追加空気流の貫徹力を適正に向上することができる。
【００２０】
本発明のボイラでは、前記追加空気ノズルが噴射する追加空気の流速を上昇させる送風機が設けられることを特徴としている。
【００２１】
従って、送風機により追加空気ノズルが噴射する追加空気の流速を上昇させることで、追加空気流の貫徹力を適正に向上することができる。
【００２２】
本発明のボイラでは、前記追加空気ノズルは、前記火炉から排出された排ガスの少なくとも一部を前記火炉に吹き込み可能であることを特徴としている。
【００２３】
従って、追加空気ノズルは、追加空気として少なくとも排ガスの一部を火炉に供給することで、火炉の内壁面の低温化を抑制することができる。
【発明の効果】
【００２４】
本発明のボイラによれば、追加空気ノズルにおける追加空気の噴射方向を上下に調整自在な空気噴射方向上下調整装置と、火炉の上部における温度分布を検出する温度センサと、温度センサの検出結果に基づいて空気噴射方向上下調整装置を調整可能な制御装置とを設けるので、火炉の上部温度を適正な分布に調整することができ、火炉全体での燃焼効率を向上することができる。
【図面の簡単な説明】
【００２５】
【図１】図１は、第１実施形態の石炭焚きボイラを表す概略構成図である。
【図２】図２は、石炭焚きボイラにおける燃焼バーナの平面図である。
【図３】図３は、石炭焚きボイラにおける追加空気ノズルの平面図である。
【図４】図４は、石炭焚きボイラの上部における排ガスの流れを表す概略平面図である。
【図５】図５は、追加空気ノズルの斜視図である。
【図６】図６は、追加空気ノズルの変形例を表す斜視図である。
【図７】図７は、第２実施形態の石炭焚きボイラにおける追加空気ノズルの平面図である。
【図８】図８は、第３実施形態の石炭焚きボイラにおける追加空気ノズルの平面図である。
【図９】図９は、第４実施形態の石炭焚きボイラを表す概略構成図である。
【発明を実施するための形態】
【００２６】
以下に添付図面を参照して、本発明に係るボイラの好適な実施形態を詳細に説明する。なお、この実施形態により本発明が限定されるものではなく、また、実施形態が複数ある場合には、各実施形態を組み合わせて構成するものも含むものである。
【００２７】
［第１実施形態］
図１は、第１実施形態の石炭焚きボイラを表す概略構成図、図２は、石炭焚きボイラにおける燃焼バーナの平面図、図３は、石炭焚きボイラにおける追加空気ノズルの平面図、図４は、石炭焚きボイラの上部における排ガスの流れを表す概略平面図、図５は、追加空気ノズルの斜視図、図６は、追加空気ノズルの変形例を表す斜視図である。
【００２８】
第１実施形態のボイラは、石炭（瀝青炭、亜瀝青炭など）を粉砕した微粉炭を微粉燃料（固体燃料）として用い、この微粉炭を燃焼バーナにより燃焼させ、この燃焼により発生した熱を回収することが可能な微粉炭焚きボイラである。
【００２９】
この第１実施形態において、図１及び図２に示すように、石炭焚きボイラ１０は、コンベンショナルボイラであって、火炉１１と燃焼装置１２とを有している。火炉１１は、四角筒の中空形状をなして鉛直方向に沿って設置され、この火炉１１を構成する火炉壁が伝熱管により構成されている。
【００３０】
燃焼装置１２は、この火炉１１を構成する火炉壁（伝熱管）の下部に設けられている。この燃焼装置１２は、火炉壁に装着された複数の燃焼バーナ２１，２２，２３，２４，２５を有している。そして、燃焼装置１２は、周方向に沿って４個の燃焼バーナが均等間隔で配設されたものが１セットとして、鉛直方向に沿って５セット、つまり、５段配置されている。なお、この燃焼バーナ２１，２２，２３，２４，２５は、ＣＣＦ（Ｃｉｒｃｕｌａｒ  Ｃｏｒｎｅｒ  Ｆｉｒｉｎｇ）燃焼方式であり、火炉１１の形状や一つの段における燃焼バーナの数、段数はこの実施形態に限定されるものではない。
【００３１】
各燃焼バーナ２１，２２，２３，２４，２５は、微粉炭供給管２６，２７，２８，２９，３０を介して微粉炭機（ミル）３１，３２，３３，３４，３５に連結されている。この微粉炭機３１，３２，３３，３４，３５は、図示しないが、ハウジング内に鉛直方向に沿った回転軸心をもって粉砕テーブルが駆動回転可能に支持され、この粉砕テーブルの上方に対向して複数の粉砕ローラが粉砕テーブルの回転に連動して回転可能に支持されて構成されている。従って、石炭が複数の粉砕ローラと粉砕テーブルとの間に投入されると、ここで所定の大きさまで粉砕され、搬送用空気（１次空気）により分級された微粉炭を微粉炭供給管２６，２７，２８，２９，３０から燃焼バーナ２１，２２，２３，２４，２５に供給することができる。
【００３２】
火炉１１は、各燃焼バーナ２１，２２，２３，２４，２５の装着位置に風箱３６が設けられており、この風箱３６に空気ダクト３７の一端部が連結されており、この空気ダクト３７は、他端部に送風機３８が装着されている。従って、送風機３８により送られた燃焼用空気（２次空気）を空気ダクト３７から風箱３６に供給し、この風箱３６から各燃焼バーナ２１，２２，２３，２４，２５に供給することができる。
【００３３】
ここで、燃焼装置１２について詳細に説明するが、この燃焼装置１２を構成する各燃焼バーナ２１，２２，２３，２４，２５は、ほぼ同様の構成をなしていることから、最上段に位置する燃焼バーナ２１についてのみ説明する。
【００３４】
燃焼バーナ２１は、図２に示すように、火炉１１における４つの角部に設けられる燃焼バーナ２１ａ，２１ｂ，２１ｃ，２１ｄから構成されている。各燃焼バーナ２１ａ，２１ｂ，２１ｃ，２１ｄは、微粉炭供給管２６から分岐した各分岐管２６ａ，２６ｂ，２６ｃ，２６ｄが連結されると共に、空気ダクト３７から分岐した各分岐管３７ａ，３７ｂ，３７ｃ，３７ｄが連結されている。
【００３５】
従って、火炉１１の各角部にある各燃焼バーナ２１ａ，２１ｂ，２１ｃ，２１ｄは、火炉１１に対して、微粉炭と搬送用空気が混合した微粉燃料混合気（燃料ガス）を吹き込むと共に、その微粉燃料混合気の外側に燃焼用空気を吹き込む。そして、各燃焼バーナ２１ａ，２１ｂ，２１ｃ，２１ｄからの微粉燃料混合気に着火することで、４つの火炎Ｆ１，Ｆ２，Ｆ３，Ｆ４を形成することができ、この火炎Ｆ１，Ｆ２，Ｆ３，Ｆ４は、火炉１１の上方から見て（図２にて）反時計周り方向に旋回する火炎旋回流となる。
【００３６】
また、図１に示すように、火炉１１は、燃焼装置１２の上段部に追加燃焼用空気供給装置４１が設けられている。この追加燃焼用空気供給装置４１は、火炉壁１１ａに装着された複数の追加燃焼用空気ノズル４２，４３を有している。この追加燃焼用空気ノズル４２，４３は、周方向に沿って４個均等間隔で配設されたものが１セットとして、鉛直方向に沿って２セット、つまり、２段配置されている。即ち、追加燃焼用空気供給装置４１（追加燃焼用空気ノズル４２，４３）は、火炉１１における燃焼バーナ２１の装着位置より上方に配置されている。この追加燃焼用空気供給装置４１は、火炉１１に対して追加燃焼用空気（Ｏｖｅｒ  Ｆｉｒｅ  Ａｉｒ）を吹き込むものである。そして、この追加燃焼用空気ノズル４２，４３は、空気ダクト３７から分岐した第１分岐空気ダクト４４の端部が連結されている。
【００３７】
従って、送風機３８により送られた燃焼用空気を第１分岐空気ダクト４４から追加燃焼用空気ノズル４２，４３に供給することができる。そして、追加燃焼用空気ノズル４２，４３は、燃焼バーナ２１，２２，２３，２４，２５が吹き込んだ微粉燃料混合気の上方に追加燃焼用空気を吹き込むことができる。
【００３８】
火炉１１は、燃焼装置１２及び追加燃焼用空気供給装置４１より上方に追加空気供給装置５１が設けられている。この追加空気供給装置５１は、火炉壁１１ａに装着された複数の追加空気ノズル５２を有している。この追加空気ノズル５２は、周方向に沿って４個均等間隔で配設されたものが１セット、つまり、１段配置されている。即ち、追加空気供給装置５１（追加空気ノズル５２）は、火炉１１における燃焼バーナ２１の装着位置より所定距離だけ上方に配置されている。この追加空気供給装置５１は、火炉１１に対して追加空気（Ａｄｄｉｔｉｏｎａｌ  Ａｉｒ）を吹き込むものである。即ち、追加空気ノズル５２は、燃焼バーナ２１，２２，２３，２４，２５と同様に、火炉１１における４つの角部に設けられる複数の追加空気ノズルから構成されており、火炎旋回流と同様の追加空気旋回流を形成する。そして、この追加空気ノズル５２は、空気ダクト３７から分岐した第２分岐空気ダクト５３の端部が連結されている。
【００３９】
ここで、追加空気供給装置５１について詳細に説明する。
【００４０】
追加空気ノズル５２は、図３に示すように、燃焼バーナ２１，２２，２３，２４，２５と同様に、火炉１１における４つの角部に設けられる追加空気ノズル５２ａ，５２ｂ，５２ｃ，５２ｄから構成されている。そして、各追加空気ノズル５２ａ，５２ｂ，５２ｃ，５２ｄは、第２分岐空気ダクト５３から分岐した各分岐管５３ａ，５３ｂ，５３ｃ，５３ｄが連結されている。また、この追加空気ノズル５２ａ，５２ｂ，５２ｃ，５２ｄにおける追加空気の噴射方向を上下に調整自在な空気噴射方向上下調整装置が設けられている。即ち、追加空気ノズル５２ａ，５２ｂ，５２ｃ，５２ｄは、両側部に水平方向に沿って固定された支持軸５４ａ，５４ｂ，５４ｃ，５４ｄにより上下に回動自在に支持されている。駆動装置（駆動モータ及び減速機）５５ａ，５５ｂ，５５ｃ，５５ｄは、支持軸５４ａ，５４ｂ，５４ｃ，５４ｄを介して追加空気ノズル５２ａ，５２ｂ，５２ｃ，５２ｄを上下方向に回動することができる。ここで、空気噴射方向上下調整装置は、支持軸５４ａ，５４ｂ，５４ｃ，５４ｄ及び駆動装置５５ａ，５５ｂ，５５ｃ，５５ｄにより構成される。
【００４１】
ところで、この追加空気ノズル５２ａ，５２ｂ，５２ｃ，５２ｄは、図５に示すように、矩形状をなす噴射口５６を有し、鉛直方向の長さ（高さ）Ｈより水平方向の長さ（幅）Ｗが大きく設定されている。即ち、追加空気ノズル５２ａ，５２ｂ，５２ｃ，５２ｄは、上下の壁部と左右の壁部とを有する横長形状をなしている。なお、追加空気ノズル５２ａ，５２ｂ，５２ｃ，５２ｄは、横長形状をなしていればよく、矩形状に限らず、楕円形状などであってもよい。
【００４２】
また、追加空気ノズル５２ａ，５２ｂ，５２ｃ，５２ｄは、この形状に限るものではない。例えば、図６に示すように、追加空気ノズル５７は、上下の壁部５７ａ，５７ｂと左右の壁部５７ｃ，５７ｄとを有する横長形状をなし、噴射口５８が左右の各壁部５７ｃ，５７ｄが内側に突出するように湾曲する絞り形状をなすように構成してもよい。即ち、追加空気ノズル５７は、水平方向の長さ（幅）が先端部に向けて狭くなっている。なお、追加空気ノズル５７は、鉛直方向の長さ（高さ）を先端部に向けて狭くしてもよい。
【００４３】
従って、図３に示すように、送風機３８により送られた燃焼用空気を第２分岐空気ダクト５３から各分岐管５３ａ，５３ｂ，５３ｃ，５３ｄを介して追加空気ノズル５２ａ，５２ｂ，５２ｃ，５２ｄに供給することができる。そして、追加空気ノズル５２ａ，５２ｂ，５２ｃ，５２ｄは、燃焼バーナ２１ａ，２１ｂ，２１ｃ，２１ｄが吹き込んだ微粉燃料混合気の上方に空気流Ａ１，Ａ２，Ａ３，Ａ４を噴射することができる。また、駆動装置５５ａ，５５ｂ，５５ｃ，５５ｄは、支持軸５４ａ，５４ｂ，５４ｃ，５４ｄを介して追加空気ノズル５２ａ，５２ｂ，５２ｃ，５２ｄを上下方向に回動し、追加空気の噴射方向を上下方向（鉛直方向）に調整することができる。
【００４４】
上述したように、燃焼バーナ２１，２２，２３，２４，２５は、微粉炭と搬送用空気が混合した微粉燃料混合気（燃料ガス）及び２次空気を火炉１１内に向けて吹き込むことで火炎旋回流を形成することができる。また、追加燃焼用空気ノズル４２，４３は、燃焼バーナ２１，２２，２３，２４，２５の上段で、追加燃焼用空気を火炉１１内に向けて吹き込むことができる。また、追加空気ノズル５２は、燃焼バーナ２１，２２，２３，２４，２５の上方で、追加空気を火炉１１内に向けて吹き込むことができる。すると、図４に示すように、追加空気ノズル５２ａ，５２ｂ，５２ｃ，５２ｄは、燃焼バーナ２１ａ，２１ｂ，２１ｃ，２１ｄによって形成された火炎旋回流Ｆの上方に空気流Ａ１，Ａ２，Ａ３，Ａ４を形成することができる。
【００４５】
なお、本実施形態の燃焼装置１２を構成する各燃焼バーナ２１，２２，２３，２４，２５は、中心部に油燃料を噴射可能な油ノズルと、この油ノズルの外側に微粉燃料混合気を噴射可能な燃料ノズルと、この燃料ノズルの外側に２次空気を噴射可能な２次空気ノズルを有している。従って、ボイラ起動時に、各燃焼バーナ２１，２２，２３，２４，２５は、油燃料を火炉１１内に噴射して火炎を形成し、その後、微粉燃料混合気と２次空気を火炉１１内に噴射して火炎を形成している。
【００４６】
そして、図１に示すように、火炉１１は、上部に煙道７０が連結されており、この煙道７０に、対流伝熱部として排ガスの熱を回収するための過熱器（スーパーヒータ）７１，７２、再熱器（リヒータ）７３，７４、節炭器（エコノマイザ）７５，７６，７７が設けられており、火炉１１での燃焼で発生した排ガスと水との間で熱交換が行われる。
【００４７】
煙道７０は、その下流側に熱交換を行った排ガスが排出される排ガス管７８が連結されている。この排ガス管７８は、空気ダクト３７との間にエアヒータ７９が設けられ、空気ダクト３７を流れる空気と、排ガス管７８を流れる排ガスとの間で熱交換を行い、燃焼バーナ２１，２２，２３，２４，２５に供給する燃焼用空気を昇温することができる。
【００４８】
そして、排ガス管７８は、図示しないが、脱硝装置、電気集塵機、誘引送風機、脱硫装置が設けられ、下流端部に煙突が設けられている。
【００４９】
また、火炉１１は、図１及び図４に示すように、上部における温度分布を検出する温度センサ６１と、この温度センサ６１の検出結果に基づいて空気噴射方向上下調整装置を構成する駆動装置５５（５５ａ，５５ｂ，５５ｃ，５５ｄ）を調整可能な制御装置６２が設けられている。温度センサ６１は、過熱器７１における複数の伝熱管の近傍に水平方向に所定間隔（好ましくは、均等間隔）で複数設けられており、火炉１１の上部における複数の水平方向の位置での温度を検出することができる。制御装置６２は、複数の温度センサ６１から火炉１１の上部の温度が入力され、この温度に基づいて駆動装置５５を調整する。
【００５０】
具体的に、制御装置６２は、駆動装置５５を制御し、火炎旋回流Ｆの下流側に位置する追加空気ノズル５２、つまり、追加空気ノズル５２ｂ，５２ｄを下向きとし、火炎旋回流Ｆの上流側に位置する追加空気ノズル５２、つまり、追加空気ノズル５２ａ，５２ｃを上向きとする。そして、ボイラ１０の運転中、制御装置６２は、火炉１１の上部における複数の水平方向の位置での温度偏差が減少するように駆動装置５５により追加空気ノズル５２ａ，５２ｂ，５２ｃ，５２ｄを上下方向に回動し、追加空気の噴射方向を上下方向に調整することができる。
【００５１】
このように構成された石炭焚きボイラ１０にて、微粉炭機３１，３２，３３，３４，３５が駆動すると、生成された微粉炭が搬送用空気と共に微粉炭供給管２６，２７，２８，２９，３０を通して燃焼バーナ２１，２２，２３，２４，２５に供給される。また、加熱された燃焼用空気が空気ダクト３７から風箱３６を介して各燃焼バーナ２１，２２，２３，２４，２５に供給される。また、加熱された燃焼用空気が空気ダクト３７から分岐した各分岐空気ダクト４４，５３により追加燃焼用空気ノズル４２，４３、追加空気ノズル５２に供給される。
【００５２】
すると、燃焼バーナ２１，２２，２３，２４，２５は、微粉炭と搬送用空気とが混合した微粉燃料混合気と２次空気を火炉１１に吹き込み、このときに着火することで燃焼領域Ａに火炎旋回流を形成することができる。また、追加燃焼用空気ノズル４２，４３は、追加燃焼用空気を火炉１１に吹き込むことで、燃焼領域Ａを適正に形成することができる。この火炉１１では、微粉燃料混合気と２次空気及び追加燃焼用空気が燃焼して火炎旋回流が生じ、燃焼領域Ａで火炎旋回流が生じると、火炉１１内を燃焼ガス（排ガス）が旋回しながら上昇して還元領域Ｂに至る。
【００５３】
このとき、火炉１１にて、燃焼バーナ２１，２２，２３，２４，２５は、空気の供給量が微粉炭の供給量に対して理論空気量未満となるように設定されることで、燃焼領域Ａの上方の還元領域Ｂが還元雰囲気に保持される。そのため、微粉炭の燃焼により発生したＮＯｘがこの還元領域Ｂで還元される。
【００５４】
そして、追加空気ノズル５２は、追加空気を火炉１１の還元領域Ｂの上方に吹き込む。すると、燃焼完結領域Ｃにて、排ガスと追加空気が反応することで微粉炭の酸化燃焼が完結され、微粉炭の燃焼によるＮＯｘの発生量が低減される。
【００５５】
ところで、火炉１１にて、燃焼領域Ａで形成された火炎旋回流Ｆは、平面視で反時計回り方向に旋回しながら上昇して、還元領域Ｂに至り、還元領域Ｂが還元雰囲気に保持されることでＮＯｘが還元される。そして、燃焼完結領域Ｃにて、火炎旋回流Ｆのように旋回しながら上昇する排ガスに対して、追加空気が噴射されることで微粉炭の酸化燃焼が完結される。このとき、旋回上昇する排ガスＧ（火炎旋回流Ｆ）は、反時計回り方向に旋回しながら上昇して煙道７０に流れる。そのため、排ガスＧ（火炎旋回流Ｆ）の上流側に位置する火炉側、つまり、図４にて下方側の温度が比較的高くなる。
【００５６】
そのため、制御装置６２は、駆動装置５５を制御し、火炎旋回流Ｆの下流側に位置する追加空気ノズル５２、つまり、追加空気ノズル５２ｂ，５２ｄを下向きとし、火炎旋回流Ｆの上流側に位置する追加空気ノズル５２、つまり、追加空気ノズル５２ａ，５２ｃを上向きとする。すると、追加空気ノズル５２ｂ，５２ｄ側の火炉壁に沿って上昇する高温の排ガスが追加空気ノズル５２ａ，５２ｃに移動する。その結果、火炉１１は、上部における水平方向の温度が均一化され、水平方向における複数の位置での温度偏差が減少する。
【００５７】
また、温度センサ６１は、火炉１１の上部における複数の水平方向の位置での温度を検出しており、制御装置６２は、複数の温度センサ６１から火炉１１の上部の温度が入力され、この温度に基づいて駆動装置５５を調整する。即ち、制御装置６２は、火炉１１の上部における複数の水平方向の位置での温度偏差が減少するように駆動装置５５により追加空気ノズル５２ａ，５２ｂ，５２ｃ，５２ｄにより追加空気の噴射方向を上下に微調整する。
【００５８】
そして、図示しない給水ポンプから供給された水は、節炭器７５，７６，７７によって予熱された後、図示しない蒸気ドラムに供給され火炉壁の各水管（図示せず）に供給される間に加熱されて飽和蒸気となり、図示しない蒸気ドラムに送り込まれる。更に、図示しない蒸気ドラムの飽和蒸気は過熱器７１，７２に導入され、燃焼ガスによって過熱される。過熱器７１，７２で生成された過熱蒸気は、図示しない発電プラント（例えば、タービン等）に供給される。また、タービンでの膨張過程の中途で取り出した蒸気は、再熱器７３，７４に導入され、再度過熱されてタービンに戻される。なお、火炉１１をドラム型（蒸気ドラム）として説明したが、この構造に限定されるものではない。
【００５９】
その後、煙道７０の節炭器７５，７６，７７を通過した排ガスは、排ガス管７８にて、図示しない脱硝装置にて、触媒によりＮＯｘなどの有害物質が除去され、電気集塵機で粒子状物質が除去され、脱硫装置により硫黄分が除去された後、煙突から大気中に排出される。
【００６０】
このように第１実施形態のボイラにあっては、中空形状をなして鉛直方向に沿って設置される火炉１１と、微粉燃料混合気を火炉１１内に向けて吹き込むことで火炎旋回流を形成可能な燃焼バーナ２１，２２，２３，２４，２５と、燃焼バーナ２１，２２，２３，２４，２５より上方で追加燃焼用空気を火炉１１内に向けて吹き込む追加燃焼用空気ノズル４２，４３と、追加燃焼用空気ノズル４２，４３より上方で追加空気を火炉１１内に向けて吹き込む追加空気ノズル５２と、追加空気ノズル５２における追加空気の噴射方向を上下に調整自在な駆動装置５５と、火炉１１の上部における温度分布を検出する温度センサ６１と、温度センサ６１の検出結果に基づいて駆動装置５５を調整可能な制御装置６２とを設けている。
【００６１】
従って、燃焼バーナ２１，２２，２３，２４，２５が火炉１１内に微粉燃料混合気を吹き込むと共に、追加燃焼用空気ノズル４２，４３が火炉１１内に燃焼用空気を吹き込むことで火炎旋回流が形成され、発生した燃焼ガスが燃焼領域Ａから旋回しながら上昇する。微粉燃料混合気は、空気量が微粉炭燃料に対して理論空気量未満となるように設定されることで、燃焼領域Ａの上方に還元領域Ｂが形成され、ここで、微粉炭燃料の燃焼により発生したＮＯｘが還元される。その後、追加空気ノズル５２が火炉１１内に向けて追加空気を吹き込むことで、微粉炭の酸化燃焼が完結される。このとき、温度センサ６１が火炉１１の上部における温度分布を検出すると、制御装置６２は、火炉１１の上部における温度分布に基づいて駆動装置５５を調整する。そのため、火炉１１の上部温度を適正な分布に調整することができ、火炉１１全体での燃焼効率を向上することができる。
【００６２】
第１実施形態のボイラでは、制御装置６２は、火炉１１の上部における複数の水平方向の位置での温度偏差が減少するように駆動装置５５を調整する。従って、火炉１１の上部における水平方向での温度偏差を減少するため、局部的に高温となる領域の発生を抑制し、伝熱管の損傷を防止することができる。
【００６３】
第１実施形態のボイラでは、制御装置６２は、駆動装置５５により火炎旋回流Ｆの下流側に位置する追加空気ノズル５２ｂ，５２ｄを下向きとし、火炎旋回流Ｆの上流側に位置する追加空気ノズル５２ａ，５２ｃを上向きとする。従って、火炎旋回流Ｆの下流側では追加空気を下向きに噴射し、火炎旋回流Ｆの上流側では追加空気を上向きに噴射することで、高温領域を低温領域側に移行させることで、火炉１１の上部における水平方向での温度偏差を効果的に減少することができる。
【００６４】
第１実施形態のボイラでは、追加空気ノズル５２は、矩形状をなす噴射口５６を有し、鉛直方向の長さＨより水平方向の長さＷを大きく設定している。従って、水平方向に扁平な追加空気流を形成することで、追加空気流の貫徹力を向上して火炉１１全体での燃焼状態を適正に調整することができる。
【００６５】
第１実施形態のボイラでは、追加空気ノズル５７の噴射口５８は、側面部が内側に突出するように湾曲する絞り形状をなしている。従って、追加空気流の流速を滑らかに上昇することで、追加空気流の貫徹力を適正に向上することができる。
【００６６】
［第２実施形態］
図７は、第２実施形態の石炭焚きボイラにおける追加空気ノズルの平面図である。なお、本実施形態のボイラの基本的な構成は、上述した第１実施形態とほぼ同様の構成であり、図１を用いて説明すると共に、上述した実施形態と同様の機能を有する部材には、同一の符号を付して詳細な説明は省略する。
【００６７】
第２実施形態において、図１に示すように、石炭焚きボイラ１０は、火炉１１と燃焼装置１２とを有しており、燃焼装置１２は、複数の燃焼バーナ２１，２２，２３，２４，２５を有している。燃焼装置１２は、周方向に沿って４個の燃焼バーナが均等間隔で配設されたものが１セットとして、鉛直方向に沿って５セット、つまり、５段配置されている。各燃焼バーナ２１，２２，２３，２４，２５は、微粉炭供給管２６，２７，２８，２９，３０を介して微粉炭機３１，３２，３３，３４，３５に連結されている。
【００６８】
また、図１及び図７に示すように、火炉１１は、燃焼装置１２の上方に追加燃焼用空気供給装置４１が設けられている。この追加燃焼用空気供給装置４１は、火炉壁１１ａに装着された追加燃焼用空気ノズル４２，４３を有しており、空気ダクト３７から分岐した第１分岐空気ダクト４４の端部が連結されている。火炉１１は、追加燃焼用空気供給装置４１より上方に追加空気供給装置８１が設けられている。この追加空気供給装置８１は、火炉壁１１ａに装着された複数の追加空気ノズル５２を有しており、空気ダクト３７から分岐した第２分岐空気ダクト５３の端部が連結されている。
【００６９】
ここで、追加空気供給装置８１について詳細に説明する。追加空気ノズル５２は、図７に示すように、火炉１１における４つの角部に設けられる追加空気ノズル５２ａ，５２ｂ，５２ｃ，５２ｄから構成されている。追加空気供給装置８１は、追加空気ノズル５２ａ，５２ｂ，５２ｃ，５２ｄからの追加空気の噴射方向を左右に調整自在な空気噴射方向左右調整装置が設けられている。即ち、追加空気ノズル５２ａ，５２ｂ，５２ｃ，５２ｄは、鉛直方向に沿う支持軸８２ａ，８２ｂ，８２ｃ，８２ｄにより水平方向に回動自在であり、駆動装置８３ａ，８３ｂ，８３ｃ，８３ｄにより駆動可能となっている。火炉１１は、上部における複数の水平方向の位置での温度を検出する温度センサが設けられており、制御装置は、複数の温度センサから火炉１１の上部の温度が入力され、この温度に基づいて駆動装置８３ａ，８３ｂ，８３ｃ，８３ｄを調整する。
【００７０】
従って、燃焼用空気は、第２分岐空気ダクト５３から各分岐管５３ａ，５３ｂ，５３ｃ，５３ｄを介して追加空気ノズル５２ａ，５２ｂ，５２ｃ，５２ｄに供給可能となっている。そして、追加空気ノズル５２ａ，５２ｂ，５２ｃ，５２ｄは、空気流Ａ１，Ａ２，Ａ３，Ａ４を噴射することができる。
【００７１】
そして、図１及び図７に示すように、燃焼バーナ２１，２２，２３，２４，２５は、微粉炭と搬送用空気が混合した微粉燃料混合気（燃料ガス）及び２次空気を火炉１１内に向けて吹き込むことで火炎旋回流を形成することができる。また、追加燃焼用空気ノズル４２，４３は、燃焼バーナ２１，２２，２３，２４，２５の上方で、追加燃焼用空気を火炉１１内に向けて吹き込むことができる。また、追加空気ノズル５２（５２ａ，５２ｂ，５２ｃ，５２ｄ）は、燃焼バーナ２１，２２，２３，２４，２５の上方で、追加空気を火炉１１内に向けて吹き込むことができる。
【００７２】
また、駆動装置８３ａ，８３ｂ，８３ｃ，８３ｄを駆動することで、追加空気ノズル５２ａ，５２ｂ，５２ｃ，５２ｄによる追加空気の噴射方向を左右に調整することができる。また、温度センサ６１は、火炉１１の上部における複数の水平方向の位置での温度を検出しており、制御装置６２は、複数の温度センサ６１から火炉１１の上部の温度が入力され、この温度に基づいて駆動装置８３ａ，８３ｂ，８３ｃ，８３ｄを調整する。即ち、制御装置６２は、火炉１１の上部における複数の水平方向の位置での温度偏差が減少するように駆動装置８３ａ，８３ｂ，８３ｃ，８３ｄにより追加空気ノズル５２ａ，５２ｂ，５２ｃ，５２ｄにより追加空気の噴射方向を上下に微調整する。
【００７３】
このように第２実施形態のボイラにあっては、追加空気ノズル５２における追加空気の噴射方向を左右に調整自在な駆動装置８３ａ，８３ｂ，８３ｃ，８３ｄを設け、制御装置６２は、温度センサ６１の検出結果に基づいて駆動装置を調整可能としている。
【００７４】
従って、追加空気の噴射方向を上下だけでなく左右にも調整することで、火炉１１の上部における水平方向での温度偏差を更に減少することができる。
【００７５】
［第３実施形態］
図８は、第３実施形態の石炭焚きボイラにおける追加空気ノズルの平面図である。なお、本実施形態のボイラの基本的な構成は、上述した第１実施形態とほぼ同様の構成であり、図１を用いて説明すると共に、上述した実施形態と同様の機能を有する部材には、同一の符号を付して詳細な説明は省略する。
【００７６】
第３実施形態において、図１に示すように、石炭焚きボイラ１０は、火炉１１と燃焼装置１２とを有しており、燃焼装置１２は、複数の燃焼バーナ２１，２２，２３，２４，２５を有している。燃焼装置１２は、周方向に沿って４個の燃焼バーナが均等間隔で配設されたものが１セットとして、鉛直方向に沿って５セット、つまり、５段配置されている。各燃焼バーナ２１，２２，２３，２４，２５は、微粉炭供給管２６，２７，２８，２９，３０を介して微粉炭機３１，３２，３３，３４，３５に連結されている。
【００７７】
また、図１及び図８に示すように、火炉１１は、燃焼装置１２の上方に追加燃焼用空気供給装置４１が設けられている。この追加燃焼用空気供給装置４１は、火炉壁１１ａに装着された追加燃焼用空気ノズル４２，４３を有しており、空気ダクト３７から分岐した第１分岐空気ダクト４４の端部が連結されている。火炉１１は、追加燃焼用空気供給装置４１より上方に追加空気供給装置９１が設けられている。この追加空気供給装置９１は、火炉壁１１ａに装着された複数の追加空気ノズル５２を有しており、空気ダクト３７から分岐した第２分岐空気ダクト５３の端部が連結されている。
【００７８】
ここで、追加空気供給装置９１について、詳細に説明する。追加空気ノズル５２は、図８に示すように、火炉１１における４つの角部に設けられる追加空気ノズル５２ａ，５２ｂ，５２ｃ，５２ｄから構成されている。各追加空気ノズル５２ａ，５２ｂ，５２ｃ，５２ｄは、追加空気を火炉１１内に向けて吹き込むことができる。
【００７９】
また、追加空気ノズル５２は、噴射する追加空気の流速を上昇させる送風機が設けられている。即ち、追加空気ノズル５２ａ，５２ｂ，５２ｃ，５２ｄは、第２分岐空気ダクト５３から分岐した各分岐管５３ａ，５３ｂ，５３ｃ，５３ｄが連結されており、各分岐管５３ａ，５３ｂ，５３ｃ，５３ｄにファン９２ａ，９２ｂ，９２ｃ，９２ｄが設けられている。
【００８０】
従って、空気は、第２分岐空気ダクト５３から各分岐管５３ａ，５３ｂ，５３ｃ，５３ｄを介して追加空気ノズル５２ａ，５２ｂ，５２ｃ，５２ｄに供給可能となっている。そして、追加空気ノズル５２ａ，５２ｂ，５２ｃ，５２ｄは、空気流Ａ１，Ａ２，Ａ３，Ａ４を噴射することができる。また、ファン９２ａ，９２ｂ，９２ｃ，９２ｄの回転速度を変更することで、追加空気ノズル５２ａ，５２ｂ，５２ｃ，５２ｄからの追加空気の噴射流速を調整することができる。
【００８１】
このように第３実施形態のボイラにあっては、追加空気ノズル５２ａ，５２ｂ，５２ｃ，５２ｄが噴射する追加空気の流速を上昇させるファン９２ａ，９２ｂ，９２ｃ，９２ｄを設けている。
【００８２】
従って、ファン９２ａ，９２ｂ，９２ｃ，９２ｄにより追加空気ノズル５２ａ，５２ｂ，５２ｃ，５２ｄが噴射する追加空気の流速を上昇させることで、追加空気流の貫徹力を適正に向上することができる。
【００８３】
［第４実施形態］
図９は、第４実施形態の石炭焚きボイラを表す概略構成図である。なお、上述した実施形態と同様の機能を有する部材には、同一の符号を付して詳細な説明は省略する。
【００８４】
第４実施形態において、図１に示すように、石炭焚きボイラ１０は、火炉１１と燃焼装置１２とを有している。燃焼装置１２は、火炉壁に装着された複数の燃焼バーナ２１，２２，２３，２４，２５を有している。各燃焼バーナ２１，２２，２３，２４，２５は、微粉炭供給管２６，２７，２８，２９，３０を介して微粉炭機３１，３２，３３，３４，３５に連結されている。火炉１１は、各燃焼バーナ２１，２２，２３，２４，２５の装着位置に風箱３６が設けられており、この風箱３６に空気ダクト３７が連結されている。
【００８５】
火炉１１は、燃焼装置１２の上段部に追加燃焼用空気供給装置４１が設けられている。この追加燃焼用空気供給装置４１は、火炉壁に装着された複数の追加燃焼用空気ノズル４２，４３を有している。追加燃焼用空気ノズル４２，４３は、空気ダクト３７から分岐した第１分岐空気ダクト４４の端部が連結されている。
【００８６】
火炉１１は、燃焼装置１２より上方に追加空気供給装置１０１が設けられている。この追加空気供給装置１０１は、火炉壁に装着された複数の追加空気ノズル５２を有している。追加空気ノズル５２は、風箱１０２に装着され、空気ダクト３７から分岐した第２分岐空気ダクト５３の端部がこの風箱１０２に連結されている。また、追加空気ノズル５２は、火炉１１から排出された排ガスの少なくとも一部を火炉１１に吹き込み可能である。即ち、排ガス管７８に継続する排気系８０から分岐した第３分岐空気ダクト１０３の端部が風箱１０２に連結され、第３分岐空気ダクト１０３に送風機（ファン）１０４が設けられている。
【００８７】
そのため、燃焼バーナ２１，２２，２３，２４，２５は、微粉燃料混合気及び２次空気を火炉１１内に向けて吹き込み、このときに着火することで燃焼領域Ａに火炎旋回流を形成する。このとき、追加燃焼用空気ノズル４２，４３は、追加燃焼用空気と排ガスの混合気を火炉１１に吹き込むことで、燃焼領域Ａを適正に形成する。この火炉１１では、微粉燃料混合気と２次空気及び追加燃焼用空気が燃焼して火炎旋回流が生じ、燃焼領域Ａで火炎旋回流が生じると、火炉１１内を燃焼ガス（排ガス）が旋回しながら上昇して還元領域Ｂに至る。
【００８８】
このとき、火炉１１にて、燃焼バーナ２１，２２，２３，２４，２５は、空気の供給量が微粉炭の供給量に対して理論空気量未満となるように設定されることで、燃焼領域Ａの上方の還元領域Ｂが還元雰囲気に保持される。そのため、微粉炭の燃焼により発生したＮＯｘがこの還元領域Ｂで還元される。
【００８９】
そして、追加空気ノズル５２は、追加空気を火炉１１の還元領域Ｂの上方に吹き込む。すると、燃焼完結領域Ｃにて、排ガスと追加空気が反応することで微粉炭の酸化燃焼が完結され、微粉炭の燃焼によるＮＯｘの発生量が低減される。
【００９０】
このように第４実施形態のボイラにあっては、燃焼バーナ２１，２２，２３，２４，２５の上段で追加空気を火炉１１内に向けて吹き込む追加空気供給ノズル５２を設け、この追加空気ノズル５２は、火炉１１から排出された排ガスの少なくとも一部を火炉１１内向けて吹き込み可能としている。
【００９１】
従って、追加空気供給ノズル５２から火炉１１の内壁面に沿って水平に空気と排ガスの混合気を吹き込むことで、火炉１１の内壁面の低温化を抑制することができる。
【００９２】
なお、本実施形態では、追加空気供給ノズル５２は、空気に排ガスを混合した混合気を火炉１１内に吹き込むようにしたが、排ガスだけを火炉１１内に吹き込むようにしてもよい。
【００９３】
また、上述した実施形態では、燃焼バーナの形態をＣＣＦ燃焼方式としたが、ＣＵＦ（Ｃｉｒｃｕｌａｒ  Ｕｌｔｒａ  Ｆｉｒｉｎｇ）燃焼方式としてもよい。
【００９４】
また、上述した実施形態では、本発明のボイラを石炭焚きボイラとしたが、燃料としては、バイオマスや石油コークスを使用するボイラであってもよく、また、油焚きボイラに適用してもよい。
【符号の説明】
【００９５】
１０  石炭焚きボイラ
１１  火炉
１２  燃焼装置
２１，２２，２３，２４，２５  燃焼バーナ
２６，２７，２８，２９，３０  微粉炭供給管
３１，３２，３３，３４，３５  微粉炭機
３６  風箱
３７  空気ダクト
４１  追加燃焼用空気供給装置
４２，４３  追加燃焼用空気ノズル
４４  第１分岐空気ダクト
５１，８１  追加空気供給装置
５２，５２ａ，５２ｂ，５２ｃ，５２ｄ  追加空気ノズル
５３  第２分岐空気ダクト
５４ａ，５４ｂ，５４ｃ，５４ｄ  支持軸
５５ａ，５５ｂ，５５ｃ，５５ｄ  駆動装置（空気噴射方向上下調整装置）
８３ａ，８３ｂ，８３ｃ，８３ｄ  駆動装置（空気噴射方向左右調整装置）
９２ａ，９２ｂ，９２ｃ，９２ｄ  ファン（送風機）
【図１】
2015114077.tif 000003
【図２】
2015114077.tif 000004
【図３】
2015114077.tif 000005
【図４】
2015114077.tif 000006
【図５】
2015114077.tif 000007
【図６】
2015114077.tif 000008
【図７】
2015114077.tif 000009
【図８】
2015114077.tif 000010
【図９】
2015114077.tif 000011